(57)【要約】【課題】シャッタカーテンとしての開閉を迅速に行うことができ、しかも、ブラインド動作時におけるスラットの開度の微調整を行ない易くなるブラインドシャッタ装置を提供することを課題とする。【解決手段】ブラインドシャッタ装置は、複数のスラット１８で形成されたシャッタカーテン１３と、シャッタカーテン１３を構成するスラット１８の巻き取り及び巻き戻しを行う巻き取り体１２と、巻き取り体１２を巻き取り方向及び巻き戻し方向に回転させるモータ１１とを備えている。スラット１８をシャッタカーテン１３として使用するシャッタ使用形態と、スラット１８をブラインドとして使用するブラインド使用形態とに切替可能な切替手段を備えている。ブラインド使用形態における巻き取り体１２の回転速度は、シャッタ使用形態における巻き取り体１２の回転速度よりも低速とされている。【選択図】図１
2005139654.tif 000002
【特許請求の範囲】
【請求項１】
複数のスラットで形成されたシャッタカーテンと、前記シャッタカーテンを構成する前記スラットの巻き取り及び巻き戻しを行う巻き取り体と、前記巻き取り体を巻き取り方向及び巻き戻し方向に回転させるモータとを具備するブラインドシャッタ装置において、
前記スラットを前記シャッタカーテンとして使用するシャッタ使用形態と、前記スラットをブラインドとして使用するブラインド使用形態とに切替可能な切替手段を備えており、
前記ブラインド使用形態における前記巻き取り体の回転速度は、前記シャッタ使用形態における前記巻き取り体の回転速度よりも低速とされていることを特徴とするブラインドシャッタ装置。
【請求項２】
請求項１において、前記モータは、前記シャッタ使用形態及び前記ブラインド使用形態の双方において共通して使用される共通モータであり、
前記ブラインド使用形態における前記モータの回転速度は、前記シャッタ使用形態における前記モータの回転速度よりも低速とされていることを特徴とするブラインドシャッタ装置。
【請求項３】
複数のスラットで形成されたシャッタカーテンと、前記シャッタカーテンを構成する前記スラットの巻き取り及び巻き戻しを行う巻き取り体と、前記巻き取り体を巻き取り方向及び巻き戻し方向に回転させるモータとを具備するブラインドシャッタ装置において、
前記スラットを前記シャッタカーテンとして使用するシャッタ使用形態と、前記スラットをブラインドとして使用するブラインド使用形態とに切替可能な切替手段と、
前記ブラインド使用形態における前記巻き取り体の回転速度は、前記シャッタ使用形態における前記巻き取り体の回転速度よりも低速とされており、且つ、
前記シャッタの閉鎖度が高い状態から前記ブラインド使用形態を実行するとき、前記ブラインド使用形態の少なくとも初期において、前記巻き取り体の回転速度を通常のブラインド使用形態における前記巻き取り体の回転速度よりも増速させることを特徴とするブラインドシャッタ装置。
【請求項４】
請求項３において、前記シャッタカーテンの閉鎖度が高い状態は、前記シャッタカーテンの全閉状態または全閉状態近傍であることを特徴とするブラインドシャッタ装置。
【請求項５】
請求項４において、前記モータは、前記シャッタ使用形態及び前記ブラインド使用形態の双方において共通して使用される共通モータであり、
前記通常のブラインド使用形態における前記モータの回転速度は、前記シャッタ使用形態における前記モータの回転速度よりも低速とされていることを特徴とするブラインドシャッタ装置。
【請求項６】
請求項３〜請求項５のうちのいずれか一項において、前記ブラインド使用形態においてブラインドが全開したとき、前記シャッタカーテンの開閉を停止させる停止スイッチが操作されたとき、前記シャッタカーテンを開放させるシャッタ開放スイッチが操作されたとき、前記シャッタカーテンを閉鎖させるシャッタ閉鎖スイッチが操作されたとき、前記スラットをブラインドとして開放させるブラインド開放スイッチが操作されたとき、前記スラットをブラインドとして閉鎖させるブラインド閉鎖スイッチが操作されたとき、所定時間が経過したときのうちの少なくとも一つの条件が満たされたとき、前記増速はキャンセルされることを特徴とするブラインドシャッタ装置。
【請求項７】
請求項１または請求項３において、前記切替手段は、作動体と、前記作動体により前記シャッタ使用形態及び前記ブラインド使用形態に切替られる切替部材とを有しており、前記切替部材は、前記切替部材が前記ブラインド使用形態に切替えられるとき前記スラットの前記係止体に係止すると共に前記切替部材が前記シャッタ使用形態に切替えられるとき前記スラットの係止体との係止と前記切替部材との係止が解除される被係止部を有することを特徴とするブラインドシャッタ装置。
【発明の詳細な説明】
【技術分野】
【０００１】
本発明はブラインド機能及びシャッタ機能をもつブラインドシャッタ装置に関する。
【背景技術】
【０００２】
従来、特許文献１には、複数のスラットで形成されたシャッタカーテンと、シャッタカーテンを構成するスラットの巻き取り及び巻き戻しを行う巻き取り体と、巻き取り体を巻き取り方向及び巻き戻し方向に回転させるモータとを備えるブラインドシャッタ装置が開示されている。このものによれば、スラットをシャッタカーテンとして開閉させることができると共に、スラットをブラインドとして開閉させることができる。そしてシャッタカーテンとしての開閉作動と、ブラインドとしての開閉作動とを共通のモータの駆動により行うことにしている。
【特許文献１】特開平９−１１２１５８号公報
【発明の開示】
【発明が解決しようとする課題】
【０００３】
上記した技術によれば、そしてシャッタカーテンとしての開閉作動と、ブラインドとしての開閉作動とを共通のモータの駆動により行うことにしている。このため双方の開閉作動におけるモータの回転速度は同じであるため、下記のような相反する事項が生じる。即ち、モータの回転速度を速くすると、シャッタカーテンとしての開閉を迅速に行うことができるものの、ブラインドの開閉速度も速くなり、ブラインドの開度の微調整がやりにくい。これに対して、モータの回転速度を低速化すると、ブラインドの開閉速度かゆっくりとなり、ブラインドの開度の微調整が行い易いものの、シャッタカーテンとしての開閉に長い時間がかかる。
【０００４】
本発明は上記した実情に鑑みてなされたものであり、シャッタカーテンとしての開閉を迅速に行うことができ、しかも、ブラインド動作時におけるスラットの開度の微調整を行ない易くなるブラインドシャッタ装置を提供することを課題とする。
【０００５】
様相１に係るブラインドシャッタ装置は、複数のスラットで形成されたシャッタカーテンと、シャッタカーテンを構成するスラットの巻き取り及び巻き戻しを行う巻き取り体と、巻き取り体を巻き取り方向及び巻き戻し方向に回転させるモータとを具備するブラインドシャッタ装置において、
スラットをシャッタカーテンとして使用するシャッタ使用形態と、スラットをブラインドとして使用するブラインド使用形態とに切替可能な切替手段を備えており、
ブラインド使用形態における巻き取り体の回転速度は、シャッタ使用形態における巻き取り体の回転速度よりも低速とされていることを特徴とするものである。
【０００６】
切替手段によりシャッタ使用形態に切り替えられると、スラットをシャッタカーテンとして使用することができる。切替手段によりブラインド使用形態に切替られると、スラットをブラインドとして使用することができる。
【０００７】
ブラインド使用形態における巻き取り体の回転速度は、シャッタ使用形態における巻き取り体の回転速度よりも低速とされている。このためブラインド使用形態においてスラットのブラインド動作を低速化でき、ブラインド動作時におけるスラットの開度の微調整を行ない易くなる。シャッタ使用形態では、巻き取り体の回転速度はブラインド使用形態の場合よりも速いため、シャッタの開閉速度を速くすることができる。
【０００８】
様相２に係るブラインドシャッタ装置によれば、上記特徴の他に、モータは、シャッタ使用形態及びブラインド使用形態の双方において共通して使用される共通モータであり、ブラインド使用形態におけるモータの回転速度は、シャッタ使用形態におけるモータの回転速度よりも低速とされていることを特徴とする。モータは、シャッタ使用形態及びブラインド使用形態の双方において共通して使用される共通モータであるため、部品点数の低減を図り得る。ここで、ブラインド使用形態におけるモータの回転速度ＶＢは、シャッタ使用形態におけるモータの回転速度ＶＳよりも低速とされている。このため、ブラインド使用形態における巻き取り体の回転速度は、シャッタ使用形態における巻き取り体の回転速度よりも低速とされている。このためブラインド使用形態においてスラットのブラインド動作を低速化でき、ブラインド動作時におけるスラットの開度の微調整を行ない易くなる。
【０００９】
様相３に係るブラインドシャッタ装置は、複数のスラットで形成されたシャッタカーテンと、シャッタカーテンを構成するスラットの巻き取り及び巻き戻しを行う巻き取り体と、巻き取り体を巻き取り方向及び巻き戻し方向に回転させるモータとを具備するブラインドシャッタ装置において、
スラットをシャッタカーテンとして使用するシャッタ使用形態と、スラットをブラインドとして使用するブラインド使用形態とに切替可能な切替手段と、
ブラインド使用形態における巻き取り体の回転速度は、シャッタ使用形態における巻き取り体の回転速度よりも低速とされており、且つ、
シャッタの閉鎖度が高い状態からブラインド使用形態を実行するとき、ブラインド使用形態の少なくとも初期において、巻き取り体の回転速度を通常のブラインド使用形態における巻き取り体の回転速度よりも増速させることを特徴とする。
【００１０】
切替手段によりシャッタ使用形態に切り替えられると、スラットをシャッタカーテンとして使用することができる。切替手段によりブラインド使用形態に切替られると、スラットをブラインドとして使用することができる。通常のブラインド使用形態における巻き取り体の回転速度は、シャッタ使用形態における巻き取り体の回転速度よりも低速とされている。このため通常のブラインド使用形態においてスラットのブラインド動作を低速化でき、ブラインド動作時におけるスラットの開度の微調整を行ない易くなる。通常のブラインド使用形態とは、シャッタの閉鎖度が高い状態（例えばシャッタの全閉状態）からブラインド使用形態を開始するとき以外におけるブラインド使用形態を意味する。
【００１１】
但し、シャッタの閉鎖度が高い状態からブラインド使用形態を実行するときには、ブラインド使用形態の初期においては、スラットの初期作動、切替手段による切替作動に時間を要することが多い。そこで、シャッタの閉鎖度が高い状態からブラインド使用形態を実行するとき、ブラインド使用形態の少なくとも初期において、巻き取り体の回転速度を通常のブラインド使用形態における巻き取り体の回転速度よりも増速させる。これによりスラットをブラインドとして使用するときのスラットをブラインドとして早期に開放させることができる。
【００１２】
なおシャッタ使用形態では、巻き取り体の回転速度はブラインド使用形態の場合よりも速いため、シャッタの開閉速度を速くすることができる。様相４に係るブラインドシャッタ装置によれば、上記特徴の他に、シャッタカーテンの閉鎖度が高い状態は、シャッタカーテンの全閉状態または全閉状態近傍であることを特徴とする。この場合、シャッタカーテンの閉鎖度が高い状態は、シャッタカーテンの全閉状態または全閉状態近傍を意味する。そこで、シャッタの閉鎖度が高い状態からブラインド使用形態を実行するとき、ブラインド使用形態の少なくとも初期において、巻き取り体の回転速度を通常のブラインド使用形態における巻き取り体の回転速度よりも増速させる。これによりスラットをブラインドとして使用するときのスラットをブラインドとして早期に開放させることができる。ここで、シャッタカーテンの全開状態の開口面積を１００とし、シャッタカーテンの全閉状態の開口面積を０と相対表示したとき、全閉状態近傍とは０〜１０を意味する。
【００１３】
様相５に係るブラインドシャッタ装置によれば、上記した特徴の他に、モータは、シャッタ使用形態及びブラインド使用形態の双方において共通して使用される共通モータであり、通常のブラインド使用形態におけるモータの回転速度は、シャッタ使用形態におけるモータの回転速度よりも低速とされていることを特徴とする。この場合、モータは、シャッタ使用形態及びブラインド使用形態の双方において共通して使用される共通モータであるため、部品点数の低減を図り得る。ここで、通常のブラインド使用形態におけるモータの回転速度ＶＢは、シャッタ使用形態におけるモータの回転速度ＶＳよりも低速とされている。このため、通常のブラインド使用形態における巻き取り体の回転速度は、シャッタ使用形態における巻き取り体の回転速度よりも低速とされている。このため通常のブラインド使用形態においてスラットのブラインド動作を低速化でき、ブラインド動作時におけるスラットの開度の微調整を行ない易くなる。
【００１４】
様相６に係るブラインドシャッタ装置によれば、ブラインド使用形態におけるブラインドが全開したとき、シャッタカーテンの開閉を停止させる停止スイッチが操作されたとき、シャッタカーテンを開放させるシャッタ開放スイッチが操作されたとき、シャッタカーテンを閉鎖させるシャッタ閉鎖スイッチが操作されたとき、スラットをブラインドとして開放させるブラインド開放スイッチが操作されたとき、スラットをブラインドとして閉鎖させるブラインド閉鎖スイッチが操作されたとき、所定時間が経過したときのうちの少なくとも一つの条件が満たされたとき、増速はキャンセルされることを特徴とする。
【００１５】
ブラインド使用形態の少なくとも初期において、巻き取り体の回転速度を通常のブラインド使用形態における巻き取り体の回転速度よりも増速させたときには、増速したままでは、スラットの開閉速度が速い。このためスラットをブラインドとして使用するときのスラットの開度の微調整が損なわれるおそれがある。そこで、ブラインド使用形態においてブラインドが全開したとき、停止スイッチが操作されたとき、シャッタ開放スイッチが操作されたとき、シャッタ閉鎖スイッチが操作されたとき、ブラインド開放スイッチが操作されたとき、ブラインド閉鎖スイッチが操作されたとき、所定時間が経過したときのうちの少なくとも一つの条件が満たされたとき、前記増速をキャンセルする。このようにキャンセルすれば、スラットの開閉速度が低速化する。故にスラットをブラインドとして使用するときのスラットの開度の微調整を行い易い。
【００１６】
様相７に係るブラインドシャッタ装置によれば、上記した特徴に加えて、切替手段は、作動体と、作動体によりシャッタ使用形態及びブラインド使用形態に切替られる切替部材とを有しており、切替部材は、切替部材がブラインド使用形態に切替えられるときスラットの係止体に係止すると共に切替部材がシャッタ使用形態に切替えられるときスラットの係止体と切替部材との係止が解除される被係止部を有することを特徴とする。この場合、切替部材により、ブラインド使用形態またはシャッタ使用形態に切替えられる。切替部材がブラインド使用形態に切替えられるとき切替部材の被係止部はスラットの係止体に係止し、その後、スラットがブラインドとして回動する。切替部材がシャッタ使用形態に切替えられるとき、切替部材の被係止部とスラットの係止体との係止が解除されるため、スラットをシャッタとして開閉させることができる。
【発明の効果】
【００１７】
本発明によれば、ブラインド使用形態における巻き取り体の回転速度は、シャッタ使用形態における巻き取り体の回転速度よりも低速とされている。このためブラインド使用形態においてスラットのブラインド動作を低速化でき、ブラインド動作時におけるスラットの開度の微調整を行ない易くなる。更にシャッタカーテンとしての開閉を迅速に行うことができる。
【発明を実施するための最良の形態】
【００１８】
発明の最良の形態について実施例に基づいて説明する。
【実施例１】
【００１９】
以下、本発明の実施例を図面を参照して具体的に説明する。図１は、窓に適用されるブラインドシャッタ装置１０を室内側から見た図を示す。図１に示されるように、ブラインドシャッタ装置１０はモータ１１を備える。このモータ１１は、横軸形の巻き取り体１２をこれの軸芯Ｐ回りで周方向に回転駆動するようになっている。モータ１１は、シャッタカーテン１３を巻き取り方向及び巻き戻し方向にそれぞれ回転可能とされている。従って、モータ１１により回転される巻き取り体１２は、シャッタカーテン１３を巻き取り方向及び巻き戻し方向に回転可能となっている。即ち、モータ１１の一方向の回転により、シャッタカーテン１３が巻き取り体１２に巻き取られる。モータ１１の他方向への回転により、シャッタカーテン１３が巻き取り体１２から巻き戻されて繰り出される。
【００２０】
シャッタカーテン１３の左右両側端部は、夫々、上下方向にのびるガイドレール１４、１５に沿って上下方向にガイドされるようになっている。巻き取り体１２はブラインドシャッタ装置１０の上部の格納ボックス１６内に設置されている。シャッタカーテン１３は、下端を構成する着座部材としての座板１７と、座板１７より上側の部分を構成する複数のスラット１８とによって構成されている。スラット１８は横長に延設されており、上下方向に沿って複数個並設されている。スラット１８は、スラット１８をシャッタカーテンとして使用するシャッタ使用形態と、スラット１８をブラインドとして使用するブラインド使用形態とに切替可能とされている。
【００２１】
モータ１１の作動は操作盤１００（図２参照）により制御される。図２に示されるように、操作盤１００には、シャッタカーテン１３を矢印Ｙ１方向に上昇させて開放方向に作動させることを指示するシャッタ開放スイッチ１０１、シャッタカーテン１３を矢印Ｙ２方向に下降させて閉鎖方向に作動させることを指示するシャッタ閉鎖スイッチ１０３、シャッタカーテン１３の開放作動又は閉鎖作動を停止させる停止スイッチ１０２、スラット１８をブラインドとして開放させるブラインド開放スイッチ１０４、スラット１８をブラインドとして閉鎖させるブラインド閉鎖スイッチ１０５をもつ。シャッタ開放スイッチ１０１、シャッタ閉鎖スイッチ１０３は、一旦操作されると、停止スイッチ１０２が操作されるまで、モータ１１及び巻き取り体１２を作動させる。ブラインド開放スイッチ１０４、ブラインド閉鎖スイッチ１０５は押圧操作されているときのみ、モータ１１及び巻き取り体１２を作動させるため、操作及び非操作を断続的に繰り返せば、ブラインドの開度を微調整するハンチング動作を行うことができる。
【００２２】
シャッタカーテン１３が下降行程端位置、或いは下降行程端位置と上昇行程端位置の間にあるとき、操作装置１００のシャッタ開放スイッチ１０１が押圧されて操作されると、モータ１１が一方向（カーテン巻き取り方向）へ回転するように作動し、シャッタカーテン１３を巻き取り体１２に巻き取ることでシャッタカーテン１３を矢印Ｙ１方向に上昇させて開放方向に作動させる。そしてシャッタカーテン１３が上昇行程端位置に上昇することにより、座板に取り付けられたストッパ（図示せず）が図略の枠部に当たることにより、モータ１１の負荷が急に増大する。この負荷（モータ電流）増大を検知して、モータ１１が自動的に停止される。
【００２３】
これに対して、シャッタカーテン１３が上昇行程端位置、或いは上昇行程端位置と下降行程端位置の間にあるとき、シャッタ閉鎖スイッチ１０３が押圧されて操作されると、モータ１１が他方向（巻き戻し方向）へ回転するように作動し、シャッタカーテン１３を巻き取り体１２から繰り出す。これによりシャッタカーテン１３を矢印Ｙ２方向に下降させ、閉鎖方向に作動させる。そして、シャッタカーテン１３の下部の検知体としての座板１７が下枠（図示略）に略当接すると、ガイドレール１５内に設置された着地スイッチ９が作動する。これによりシャッタカーテン１３の着地が検知される。着地スイッチ９が作動した後、予め設定された時間（若しくはモータ回転数）が経過した後、コントローラ２００によりモータ１１は自動的に停止される。これがシャッタカーテン１３の全閉状態である。尚、前記した設定時間（若しくはモータ回転数）は、上昇行程端位置から座板着地位置までの時間（若しくはシャッタカーテン１３を上昇行程端位置から座板着地位置に変移させるに必要なモータ回転数）を測定し、この値の関数によって決定されるのが一般的である。
【００２４】
図３に示されるように、ガイドレール１５は上下方向に沿って延設されている。横長な各スラット１８の端部には、横外方向に延出してガイドレール１５内に至る軸１９が一体的に連結されている。軸１９の先端部には、取付具としてのネジ２０によりリンク体２１が、スラット１８を回動可能ならしめるように、固定されている。リンク体２１の上端部には連結ピン２２が植設されている。この連結ピン２２は、これの直上に位置するリンク体２１の下端部に形成された長孔２３内に回動可能に嵌合されている。但し、最上に位置するスラット１８のリンク体２１に関しては、巻き取り体１２に連結される吊り元スラットに連結されている。複数のスラット１８のうち最も下側のスラット１８のリンク体２１の長孔２３内には、座板１７に固定されたブラケット２４に植設されたピン２５が嵌合されている。各スラット１８の端部には、軸１９の上側に位置して横外方向に延出する係止体としての係止ピン２６が設けられている。なお、図３、図４では、図面の複雑化を避けるため、スラット１８の枚数を実際よりも少なくして図示している。
【００２５】
図３に示されるように、ガイドレール１５の内端面には、断面が円形のガイド部３０が上下方向に沿って長く延在している。このガイド部３０は、リブ３１を介してガイドレール１５と一体形成されている。更に切替部材３３が設けられている。切替部材３３は断面が所定形状をなしており、ガイド部３０が嵌める基端部３３ａと、基端部３３ａと一体的に設けられ上下方向に延設された板部３３ｃとをもつ。切替部材３３の基端部３３ａはガイド部３０に沿って上下方向に延在しており、且つ、切替部材３３はこれの基端部３３ａと共にガイド部３０を中心として矢印Ｒ１、Ｒ２方向（図９参照）に回動可能となっている。ガイド部３０は切替部材３３が回動するときにおける回動中心域となる。切替部材３３の板部３３ｃの先端部３３ｅには、複数の切り欠き部３４が上下方向に間隔を隔てて均等ピッチで形成されている。切り欠き部３４は、室外側を指向すると共に斜め下方向に開口するように形成されている。
【００２６】
図３に示されるように、ガイドレール１５にはピン３５を介してカム体３６の上端部３６ｕが回動可能に枢着されている。図５に示されるように、カム体３６の下端部３６ｄは、切替部材３３の基端部側３３ａの平面部３３ｆと当接されている。尚、図示しないスプリングが切替部材３３を室内方向に付勢している。これにより、この当接が常時維持されるようになっている。
【００２７】
図４に示されるように、カム体３６の中央域にはピン３８により捕捉部材４０が回動可能に枢着されている。捕捉部材４０はピン４１によりガイドレール１５に回動可能に枢着される。捕捉部材４０は、先端開口を有する被係止部としてのスロット４２が形成されている。このスロット４２の開口の先端部は係り部４０ａとされている。捕捉部材４０にはカム溝４３が刻設されている。
【００２８】
図４に示されるように、捕捉部材４０の近傍には、作動体としてのアクチュエータ５０が配設されている。アクチュエータ５０は上下動可能なプランジャ５１をもつ。プランジャ５１の先端部にはピン５２が植設されている。ピン５２の先端部は、捕捉部材４０のカム溝４３内に摺動可能に挿入されている。アクチュエータ５０が作動していない第１位置（シャッタ使用形態）に設定されているときは、プランジャ５１のストロークは最大となっている。つまり、プランジャ５１の本体部からの突出量は最大となっている。これに対して、アクチュエータ５０が作動して第２位置（ブラインド使用形態）に切り替えられると、プランジャ５１がアクチュエータ５０の本体内に引き込まれる。
【００２９】
上述したようにモータ１１が一方向に回転され、シャッタカーテン１３が巻き取り体１２に巻き取られることにより、シャッタカーテン１３が矢印Ｙ１方向に上昇し、開放方向に移動する。またモータ１１が他方向に回転され、シャッタカーテン１３が巻き取り体１２から繰り出されることにより、シャッタカーテン１３が下降して閉鎖方向に移動する。しかして、以下のような手順を踏むことにより、シャッタカーテン１３の通気状態（隣設するスラット１８間に通路）が形成される。この通路が室内外の空気を流通させる。
【００３０】
ところで、操作装置１００のブラインド開放スイッチ１０４を押して操作すると、モータ１１の駆動により巻き取り体１２が巻き取り方向に回動し、シャッタカーテン１３が矢印Ｙ１方向に上昇し、開放方向に移動する（図５）とともに、アクチュエータ５０が作動して第２位置（ブラインド使用形態）になると、アクチュエータ５０のプランジャ５１が引き上げられる。このとき、前述したようにプランジャ５１に固定されたピン５２は、捕捉部材４０のカム溝４３内に摺動可能に挿入され且つカム溝４３の最終端壁に係合しているので、捕捉部材４０はピン４１を中心として図示反時計方向（図５の矢印Ｂ１方向、ブラインド使用方向）に所定角度（例えば約２５度：この値はプランジャ５１の引き込み量に対応している）だけ回動する。
【００３１】
このように捕捉部材４０がピン４１を中心として回動すると、図６に示されるように、捕捉部材４０の係り部４０ａは、矢印Ｂ１方向（ブラインド使用方向）に変位し、スラット１８の軸１９の昇降移動軌跡上（ブラインド使用形態）に切り替えられる。故に、巻き取り体１２の回動に伴い矢印Ｙ１方向に上昇してくる直下のスラット１８の軸１９が、図６に示されるようように、捕捉部材４０の下側から、捕捉部材４０の係り部４０ａに当たって係合する。この結果、巻き取り体１２の回動に伴い、直下のスラット１８は上昇し続けるため、図６に示されているように、そのスラット１８の軸１９は捕捉部材４０の係り部４０ａを押し上げる。従って、捕捉部材４０は反時計方向（矢印Ｂ１方向、ブラインド使用方向）に、所定角度更に回動する。
【００３２】
このように捕捉部材４０がピン４１を中心として矢印Ｂ１方向に回動すると、捕捉部材４０のカム部４０ｍによりカム体３６は押圧され、ひいては、カム体３６はピン３５を中心として所定角度、反時計方向（矢印Ｂ１方向、ブラインド使用方向）に回動する。ここで、前述したようにカム体３６の下端部３６ｄは切替部材３３と当接しているので、切替部材３３がこの回動量に対応する量、室外側（図６に示す矢印Ｒ１方向、ブラインド使用方向）に移動する。この結果、図７に示されるよう、捕捉部材４０に最も近い、上昇してくる直下のスラット１８の軸１９は捕捉部材４０のスロット４２に入り込む。また、図７,図８に示されているように、後続のスラット１８の係止体である係止ピン２６は、切替部材３３の切り欠き部３４の奥方にそれぞ入り込む。
【００３３】
ここで、モータ１１の駆動が継続して巻き取り体１２の巻き取り方向への回動が継続しているため、シャッタカーテン１３が矢印Ｙ１方向に上昇せんとする。すると、図８に示されているように、スラット１８の係止ピン２６が切替部材３３の切り欠き部３４に拘束され、それ以上上昇できない。このように係止ピン２６が切り欠き部３４に拘束された状態において、モータ１１により巻き取り体１２が巻き取り方向に回動しているため、スラット１８の軸１９が上昇せんとするため、スラット１８が係止ピン２６を回動中心として矢印Ｍ１方向（ブラインド開放方向）に回動する。この上昇量を調整することにより、スラット１８のブラインド開度を調整することが出来る。この際、捕捉部材４０のスロット４２に入り込んだ軸１９は、捕捉部材４０を更にピン４１を中心として反時計方向（矢印Ｂ１方向）に回動させる。図８は、ブラインドとして使用されているスラット１８のブラインド開度が最大となった状態を示す。このとき捕捉部材４０が全開検知用のスイッチ６（図３参照）を押し、そのブラインド全開状態を検出した信号がコントローラ２００に入力され、ブラインドの全開が検知される。
【００３４】
ブラインドを閉じるときについて説明を加える。ブラインドを閉じるときには、ブラインド閉鎖スイッチ１０５を押圧操作すれば、押圧操作されているときのみ、モータ１１、巻き取り体１２がブラインド閉じ方向に作動し、巻き取り体１２が巻き戻し方向に回動するため、スラット１８が矢印Ｙ２方向に下降する。この結果、スラット１８の係止ピン２６が切替部材３３の切り欠き部３４から離脱する。更に捕捉部材４０がピン４１を中心として矢印Ｂ２方向（シャッタ使用方向）に回動してシャッタ使用形態に切り替えられる。すると、図５に示されるように、捕捉部材４０の係り部４０ａも矢印Ｂ２方向（シャッタ使用形態）に切り替えられる。即ち、捕捉部材４０は、スラット１８の軸１９の昇降移動軌跡上（ブラインド使用形態）から外れるように切り替えられる。このように捕捉部材４０がシャッタ使用形態に切り替えられた状態で、シャッタ開放スイッチ１０１、シャッタ閉鎖スイッチ１０３を押圧して操作すれば、スラット１８をシャッタカーテン１３として上昇させたり、下降させたりすることができる。
【００３５】
上記したように本実施例によれば、ブラインド使用形態及びシャッタ使用形態を切り替える切替手段は、捕捉部材４０、カム体３６及び切替部材３３により形成されている。このような切替手段を設けることにより、次のような効果が得られる。すなわち、アクチュエータ５０は捕捉部材４０を所定角度（例えば約２５度）回動させるだけでよく（つまり小さな駆動量ですむ）、アクチュエータ５０の駆動力、サイズを小さくできる。
【００３６】
図１０、図１１はスラット１８の断面（ハッチングは省略）を示す。図１０、図１１に示されるように、スラット１８の上端部１８Ｕ並びに下端部１８Ｌには、夫々、水平方向に延在する上リブ１８ＵＲ並びに下前リブ１８ＬＲＦ及び下後リブ１８ＬＲＲが一体形成されている。上リブ１８ＵＲの先端部は、少しだけ室外側に屈曲し、下前リブ１８ＬＲＦは、少しだけ室内側に屈曲している。
【００３７】
シャッタカーテン１３が全閉状態の時は、図１０に示されるように、シャッタカーテン１３の剛性を高めるため、隣設するスラット１８、１８は凹凸嵌合のような態様で密着し、下側のスラット１８の上リブ１８ＵＲが上側のスラット１８の下後リブ１８ＬＲＲと係合して室内側への回動を阻止されつつ上側のスラット１８の下端部１８Ｌと当接し、上側のスラット１８の下前リブ１８ＬＲＦが下側のスラット１８の上端部１８Ｕと当接する。かように、シャッタカーテン１３が全閉状態の時、スラット１８を上下方向に密に嵌合するようにされているので、シャッタカーテン１３全体の剛性が高まり、光漏れを防止できる。
【００３８】
また、シャッタカーテン１３の昇降時には、図１１に示されるように、上記した上下のスラット１８同士の嵌合状態が緩和乃至は解消され、下側のスラット１８の上リブ１８ＵＲの先端側が、上側のスラット１８の下前リブ１８ＬＲＦと下後リブ１８ＬＲＲとの間に画成される開口１８ｘ内に位置し、図１１に示すような矢印Ｍ１方向またはこれと逆方向への回動が可能な状態となる。
【００３９】
このような、シャッタカーテン１３を構成するスラット１８の変移を可能ならしめるのは、上記したように、スラット１８のリンク体２１が屈曲し、隣設するリンク体２１が長孔２３とピン２２との組み合わせにより、相対変移可能に連結されているからである。また、上リブ１８ＵＲに採光スリットを形成することにより、吊下状態では採光スリットは開いた状態となり、全閉状態では閉じた状態となる。このようなスリットを設けることにより、シャッタカーテン１３を全閉から少し開けると、スリットのみから採光できる状態を作り得る。
【００４０】
さて本実施例によれば、ブラインド使用形態における巻き取り体１２の回転速度は、シャッタ使用形態における巻き取り体１２の回転速度よりも低速となるように予め設定されている。即ち、ブラインド使用形態におけるモータ１１の回転速度は、シャッタ使用形態におけるモータ１１の回転速度よりも低速とされている。このためブラインド使用形態においてスラット１８のブラインド動作を低速化でき、ブラインド動作時におけるスラット１８の開度の微調整を行ない易くなる。
【００４１】
以下これについて説明を加える。図１３はコントローラ２００のブロック図を示す。コントローラ２００には、シャッタ開放スイッチ１０１、シャッタ閉鎖スイッチ１０３、停止スイッチ１０２、ブラインド開放スイッチ１０４、ブラインド閉鎖スイッチ１０５からの信号が入力される。コントローラ２００はアクチュエータ駆動回路５０ｗを経てアクチュエータ５０の作動を制御し、モータ駆動回路１１ｗを経てモータ１１を制御する。
【００４２】
図１３に示されるように、コントローラ２００は、初期設定（ステップＳ１０２）後に、上記したスイッチ１０１、１０２、１０３、１０４、１０５の操作状況を読み込む（ステップＳ１０４）。上記した読み込み信号に基づいて、スラット１８をシャッタとして動作させるシャッタモードであるか、スラット１８をブラインドとして動作させるブラインドモードであるか否か判定する（ステップＳ１０６、Ｓ２０２）。シャッタ開放スイッチ１０１、シャッタ閉鎖スイッチ１０３が操作されていれば、シャッタモードと判定される。シャッタモードであれば、モータ１１の回転速度ＶをＶhighに設定し、速めとする（ステップＳ１１０）。速度Ｖhighはブラインドシャッタ装置の用途、サイズなどに応じて設定されている。
【００４３】
シャッタ開放スイッチ１０１が操作されていれば、シャッタカーテン１３を開放する方向にモータ１１を駆動させる（ステップＳ１１２、ステップＳ１１４）。また、シャッタ閉鎖スイッチ１０３が操作されていれば、シャッタカーテン１３を閉鎖する方向にモータ１１を駆動させる（ステップＳ１３０、Ｓ１３２）。その後、停止スイッチ１０２の操作状況を読み込み、停止スイッチ１０２による停止操作が行われていなければ（ステップＳ１１６、Ｓ１３４）、モータ１１の駆動を継続し、シャッタカーテン１３の開放または閉鎖を継続する。停止スイッチ１０２による停止操作が行われていれば、モータ１１の駆動を停止せ（ステップＳ１１８）、ステップＳ１０４にリターンする。
【００４４】
上記した読み込み信号に基づいて、スラット１８をシャッタとして動作させるシャッタモードでなければ、スラット１８をブラインドとして動作させるブラインドモードであるか否か判定する（ステップＳ２０２）。ブラインド開放スイッチ１０４、ブラインド閉鎖スイッチ１０５が操作されていれば、ブラインドモードと判定する。そして、アクチュエータ５０をブラインド使用形態に切り替える（ステップＳ２０４）。更にモータ１１の回転速度ＶをＶlowに設定し、モータ１１の回転速度を低下させる（ステップＳ２０６）。速度Ｖlowはブラインドシャッタ装置の用途、サイズなどに応じて設定されており、速度Ｖhighよりも低速である。ブラインド開放スイッチ１０４が操作されていれば、増速フラグの状態を判定し、増速フラグが０であり、増速する必要がなければ、ブラインドが開放する方向にモータ１１を所定時間駆動させる（ステップＳ２１０、Ｓ２１２）。これに対して増速フラグが１であり、増速する必要があれば、モータ１１の回転速度ＶをＶlow＋αに設定し、モータ１１の回転速度を増速させる（ステップＳ２３０）。またブラインド閉鎖スイッチ１０５が操作されていれば、ブラインドが閉鎖する方向にモータ１１を所定時間駆動させる（ステップＳ２２０、Ｓ２２２）。ブラインドが閉鎖する方向にモータ１１を駆動させるときには、モータ１１の増速は行わない。
【００４５】
上記した構造説明から理解できるように、シャッタ全閉状態では、スラット１８同士の剛性を高めるため、上下のスラット１８同士を密に嵌合させている。従って、シャッタ全閉状態から、スラット１８をブラインドとして開放させる初期段階では、上下のスラット１８同士の嵌合を解除し、その後、スラット１８がブラインドとして開放される必要があるため、モータ１１の回転速度が低速であると、ブラインドの開放に時間がかかる。そこで本実施例によれば、シャッタ全閉状態から、スラット１８をブラインドとして開放させる初期段階では、前記したように、増速フラグを１とし、増速モードとし、モータ１１の回転速度ＶをＶlow+αに設定し、モータ１１の回転速度を通常のブラインド使用形態よりも増速させる。これによりシャッタ全閉状態から、スラット１８をブラインドとして開放させる初期段階では、動作を迅速化する。
【００４６】
図１５は増速判定処理の一例を示す。図１５に示されるように、シャッタカーテン１３が全閉状態であれば、増幅フラグを１とする（ステップＳ３０４）。従って、シャッタカーテン１３が全閉状態であり、その後、ブラインド開放スイッチ１０４が操作されたという条件が満足されたとき、モータ１１の回転速度は増速される。シャッタカーテン１３が全閉状態でなければ、ブラインド開放スイッチ１０４が操作されたとしても増速する必要がないため、増幅フラグを０とする（ステップＳ３０６）。
【００４７】
ただし、モータ１１の回転速度を通常のブラインド使用形態よりも増速させたままであると、スラット１８をブラインドとして動作させるとき、ブラインドの開閉速度が増速されているため、ブラインドの開度の微調整が損なわれるおそれがある。そこで本実施例によれば、シャッタ全閉状態から、スラット１８をブラインドとして開放させる初期段階では、モータ１１の回転速度を通常のブラインド使用形態よりも増速させるものの、スラット１８をブラインドとして全開状態まで開放させたときには、全開検知用のスイッチ６（図３参照）がオンとなるため、増速モードをキャンセルし、モータ１１の回転速度ＶをＶlowに設定し、モータ１１の回転速度を低速化させ、通常のブラインド使用形態におけるモータ１１の回転速度に復帰させる。更に停止スイッチ１０２、ブラインド開放スイッチ１０４、ブラインド閉鎖スイッチ１０５のいずれかが操作されたときにも、増速モードをキャンセルし、モータ１１の回転速度ＶをＶlowに設定し、モータ１１の回転速度を低速化させ、通常のブラインド使用形態におけるモータ１１の回転速度に復帰させる。
【００４８】
図１６は、上記した増速モードをキャンセルする増速キャンセル処理の一例を示す。図１６に示されるように、全開検知用のスイッチ６がオンとなるとき、停止スイッチ１０２が停止のためにオン操作されたとき、ブラインド開放のためにブラインド開放スイッチ１０４がオン操作されたとき、ブラインド閉鎖のためにブラインド閉鎖スイッチ１０５がオン操作されたときのうち、少なくとも一つの条件が満たされたとき、増速フラグを０とし、モータ１１の回転速度を低速化させるべく、通常のブラインド使用形態とする。この結果、ブラインド使用形態におけるモータ１１の回転速度は、シャッタ使用形態におけるモータ１１の回転速度よりも低速される。これによりブラインド使用形態における巻き取り体１２の回転速度は、シャッタ使用形態における巻き取り体１２の回転速度よりも低速となるように設定される。即ち、このためブラインド使用形態においてスラットのブラインド動作を低速化でき、ブラインド動作時におけるスラット１８の開度の微調整を行ない易くなる。
【００４９】
換言すると上記したように本実施例によれば、シャッタ開放スイッチ１０１、シャッタ閉鎖スイッチ１０３を操作してスラット１８をシャッタカーテン１３として使用して開閉するときには、モータ１１の回転速度は速くなる。これに対して、スラット１８をブラインドとして使用し、ブラインド開放スイッチ１０４、ブラインド閉鎖スイッチ１０５を操作するときには、シャッタ全開状態からのブラインド開放を除いて、モータ１１の回転速度は遅くなり、ブラインドの開度の微調整を行い易い。
【００５０】
（他の例）上記した実施例によれば、その他、本発明は上記し且つ図面に示した実施例のみに限定されるものではなく、要旨を逸脱しない範囲内で適宜変更して実施できるものである。
【産業上の利用可能性】
【００５１】
本発明は複数のスラットで形成されたシャッタカーテンを有する電動ブラインドシャッタ装置に利用することができる。
【図面の簡単な説明】
【００５２】
【図１】ブラインドシャッタ装置の正面図である。
【図２】操作盤の正面図である。
【図３】ブラインドシャッタ装置の要部の斜視図である。
【図４】ガイドレールを外した状態におけるブラインドシャッタ装置の要部の斜視図である。
【図５】ブラインドシャッタ装置が閉鎖されている状態の断面図である。
【図６】ブラインドシャッタ装置のスラットの捕捉部材に係合している状態の断面図である。
【図７】ブラインドシャッタ装置のスラットの捕捉部材に係合していると共に捕捉部材が回動している状態の断面図である。
【図８】ブラインドシャッタ装置のスラットがブラインドとして全開している状態の断面図である。
【図９】ブラインドシャッタ装置の要部の横断面図である。
【図１０】ブラインドシャッタ装置のスラットが全閉状態にある断面図である。
【図１１】ブラインドシャッタ装置のスラットが全閉状態の手前の状態にある断面図である。
【図１２】コントローラのブロック図である。
【図１３】コントローラのシャッタモードを示すフローチャートである。
【図１４】コントローラのブラインドモードを示すフローチャートである。
【図１５】増速判定処理を示すフローチャートである。
【図１６】増速キャンセル処理を示すフローチャートである。
【符号の説明】
【００５３】
図中、１０はブラインドシャッタ装置、１１はモータ、１２は巻き取り体）、１８はスラット、２６は係止ピン（係止体）、１００は操作盤、１３はシャッタカーテン、３４は切り欠き部（被係止部）、４２はスロット（被係止部）、５０アクチュエータ（作動体）、１０１はシャッタ開放スイッチ、１０３はシャッタ閉鎖スイッチ、１０２は停止スイッチ、１０４はブラインド開放スイッチ、１０５はブラインド閉鎖スイッチ、５００はコントローラを示す。
【図１】
2005139654.tif 000003
【図２】
2005139654.tif 000004
【図３】
2005139654.tif 000005
【図４】
2005139654.tif 000006
【図５】
2005139654.tif 000007
【図６】
2005139654.tif 000008
【図７】
2005139654.tif 000009
【図８】
2005139654.tif 000010
【図９】
2005139654.tif 000011
【図１０】
2005139654.tif 000012
【図１１】
2005139654.tif 000013
【図１２】
2005139654.tif 000014
【図１３】
2005139654.tif 000015
【図１４】
2005139654.tif 000016
【図１５】
2005139654.tif 000017
【図１６】
2005139654.tif 000018